【事件の表示】
　特許第２８０１６２２号「テキスト音声合成方法」の特許に対する特許異議の申立てについて、次のとおり決定する。
【結論】
　訂正を認める。
　特許第２８０１６２２号の特許を維持する。
【理由】
１．手続の経緯
　特許第２８０１６２２号の請求項１に係る発明についての出願は、平成１年２月１０日に特許出願され、平成１０年７月１０日にその特許の設定登録がなされ、その後、その特許について、異議申立人金森英彦より特許異議の申立がなされ、取消理由通知がなされ、その指定期間内である平成１１年９月８日に訂正請求がなされたものである。
２．訂正の適否についての判断
ア．訂正の内容
　特許権者が求めている訂正の内容は、以下のとおりである。
ａ．特許請求の範囲の請求項１中の「アクセントなど」を「アクセント、品詞」と訂正する。
ｂ．願書に最初に添付した明細書（以下、「特許明細書」という。）第５頁第１９行目の「アクセントなど」を「アクセント、品詞」と訂正する。
イ．訂正の目的の適否、新規事項の有無及び拡張・変更の存否
　上記ａの訂正事項に関連する記載として、発明の詳細な説明には、「特殊な読みの指定は、表１の例１に示すようにすべて半角文字で表現し、入力文章中に挿入する。例１では、”は特殊な読みを指定したい単語の開始点を表わし、その単語の直後の［　］で囲まれた部分は、それに対する読み、品詞、アクセントの指定を表わしている。」（特許明細書第６頁第１４行〜同頁第２０行）及び「（２）専用エディタを使う方法１（単語の読み、アクセント、品詞を直接指定）」（特許明細書第７頁第８行〜同頁第９行）と記載されているから言語解析する前に予め「単語の読み、アクセント、品詞」を指定することは特許明細書に記載されているものと認める。
　そうすると、上記訂正ａは、特許明細書の特許請求の範囲に記載された「アクセントなど」の「など」を「品詞」と明確にしょうとするものであるから、明りょうでない記載の釈明に該当するものであって、新規事項の追加に該当しない。
　また、上記ｂの訂正は、上記ａの訂正に伴って、特許請求の範囲の記載との整合を図ったものであり、明りょうでない記載の釈明に該当するものであって、新規事項の追加に該当しない。
　そして、上記いずれの訂正も実質上特許請求の範囲を拡張し、又は変更するものでもない。
ウ．むすび
　以上のとおりであるから、上記訂正は、特許法第１２０条の４第２項及び同条第３において準用する第１２６条第２，３項の規定に適合するので、当該訂正を認める。
３．特許異議申立について
ア　本件発明
　平成１１年９月８日付けで提出された訂正明細書の特許請求の範囲第１項に係る発明は、その特許請求の範囲第１項に記載された次のとおりのものである（以下、「本件発明」という。）。
「１．文章を言語解析し、読み、アクセント、イントネーションなどを自動的に生成し、合成音声で出力するテキスト音声合成装置において、入力文章中のある単語の読み、アクセント、品詞を言語解析する前に予め指定できる手段を有し、予め指定した単語については、言語解析時に辞書引きを行わず、予め指定した内容を辞書引き結果に置き換えて、その後の言語解析をすることを特徴とするテキスト音声合成方法。」が記載されている。
イ．申立の理由の概要
　特許異議申立人金森英彦は、本件発明は、特許法第２９条の２に規定する発明に該当し、本件発明の特許は特許法第１１３条第２号に該当するので取り消されるべきものである旨主張している。
ウ．先願発明
　当審が平成１１年６月１４日付けで通知した取消理由で引用した本件出願の日前の他の出願であって、その出願後に出願公開された特願平１−１２２８４号（特開平２−２４４０９５号公報参照）の願書に最初に添付した明細書または図面（以下、「先願明細書」という。）には、「漢字かな混じり文が入力され、その言語解析により得られた読みその他の音韻情報、および単語間のポーズ、アクセント結合その他の韻律情報に基づいて音声を合成する文章読み上げ装置において、音韻情報および韻律情報を表す文字あるいは文字列を含む漢字かな混じり文から、あらかじめ音韻情報および韻律情報が指定された文字あるいは文字列を抽出する指定文字抽出手段（１１）と、その指定文字が一つの単語であるか複数の単語を含む文節であるかを識別し、それに応じて指定文字を含めた文章の解析を指示する指定文字識別手段（１３）とを備えたことを特徴とする文章読み上げ装置。」
エ．対比・判断
　本件発明と先願明細書に記載された発明とを比較すると、以下の点で相違する。
▲１▼本件発明が「入力文章中のある単語の読み、アクセント、品詞を言語解析する前に予め指定できる手段」を有するのに対し、先願明細書に記載された発明はあらかじめ文字あるいは文字列の音韻情報および韻律情報を指定するものるから、指定する対象が本件発明は「単語」であるのに対し、先願明細書に記載された発明は「文字あるいは文字列」であり、指定する内容が本件発明は「読み、アクセント、品詞」であるのに対し、先願明細書に記載された発明は「音韻情報および韻律情報」である点。
▲２▼本件発明が「予め指定した単語については、言語解析時に辞書引きを行わず、予め指定した内容を辞書引き結果に置き換えて、その後の言語解析をする」のに対し、先願明細書には記載された発明はそのような構成をとっているとは認められない点。
　そして、本件発明はかかる相違点により、「入力文章中のある単語について、特殊な読みやアクセントを指定することが簡単にできるようになる。また、その指定内容は、言語処理の辞書引きに相当し、辞書引き以降の言語解析は従来通り行われるので、強制的に指定した部分のアクセントやイントネーションが不自然になる危険がなくなる」という作用効果を生じるものと認められる。
　したがって、本件発明は先願明細書に記載された発明と同一であるとは認められない。
４．むすび
　以上のとおりであるから、特許異議申立ての理由及び証拠によっては、本件発明の特許を取り消すことはできない。
　また、他に本件発明の特許を取り消すべき理由を発見しない。
　よって、結論のとおり決定する。
【異議決定日】
平成１１年１０月５日（１９９９．１０．５）
【訂正の要旨】
（２）訂正の理由
　　　　特許請求の範囲及び明細書の明りょうでない記載の釈明
（３）訂正事項
　ａ．特許請求の範囲の請求項１中の「アクセントなど」を「アクセント、品詞」と訂正する。
　ｂ．明細書第５ページ第１９行目の「アクセントなど」を「アクセント、品詞」と訂正する。
（５４）【発明の名称】
テキスト音声合成方法
（５７）【特許請求の範囲】
　１．文章を言語解析し、読み、アクセント、イントネーションなどを自動的に生成し、合成音声で出力するテキスト音声合成装置において、入力文章中のある単語の読み、アクセント、品詞を言語解析する前に予め指定できる手段を有し、予め指定した単語については、言語解析時に辞書引きを行なわず、予め指定した内容を辞書引き結果に置き換えて、その後の言語解析をすることを特徴とするテキスト音声合成方法。
【発明の詳細な説明】
技術分野
　本発明は、テキスト音声合成方法、より詳細には、テキスト音声合成装置の文章入力方法に関する。
従来技術
　テキスト音声合成装置において、通常各単語の読みは、システムか辞書引きを行い言語解析して決定するため、ユーザがシステムが決定するものとは異なる特殊な読みやアクセントで読ませたい単語がある場合は、従来は以下の３つの方法がとられていた。
　（１）入力文章を通常の辞書を用いて言語解析し、読み、アクセント、イントネーションなどを生成した結果を中間表現（読み、アクセント、イントネーションなどを表わす記号列のことで、以後、韻律記号列と呼ぶ）として出力し、その韻律記号列の一部を書き直すことによって、特殊な読みやアクセントを実現する方法。
　（２）テキスト音声合成専用の入力文章作成ワープロを持ち、ワープロのかな漢字変換時に同時に、全ての単語、文節の切れ目や読みを指定してしまう方法（この場合、言語解析は、アクセントの付与のみとなる）。
　（３）入力文章中で特殊な読みをさせたい単語を含む文節の部分に、エスケープシーケンスを挿入し、その部分だけは、言語解析を行わないように指定する方法。しかし、
（１）の方法では、韻律記号列が素人には、わかりにくい記号列の場合が多く、読みを変更したい単語に対応する記号列がどこにあるかをさがして変更するのは容易ではない。
（２）の方法では、テキスト音声合成で音声出力する場合には、常に専用のワープロを使用しなければならず、既存のテキストファイルをそのまま読ませることができないので、汎用性に欠ける。また、特殊な読みは指定できても、アクセントの指定までしようとすると、やはり韻律記号列を直接変更しなければならないが、素人には容易ではない。
（３）の方法は、入力文章中に特殊な読みやアクセントの指定を挿入するので、（１）、（２）の方法に比べて、容易である。しかし、特殊な読みやアクセントを指定したい単語だけでなく、それを含む文節全体の読み、アクセントを指定してやらなければならない。これは、特別に指定を挿入した部分については、言語解析をスキップするようになっているためであり、いくつかの単語が集まって文節を構成した場合に発生するアクセント結合など高度なアクセントに関する知識を知らないと、文節全体の正しいアクセントを指定するのは困難であり、予め指定した部分のアクセントやイントネーションだけが不自然になってしまう恐れがある。
　テキスト音声合成においては、文章を入力すればそれが正確に言語解析され、１００％正しい読み、アクセントで音声出力されるのが理想的である。しかし、人名の“幸子”を、“さちこ”と読むか“ゆきこ”と読むかというように、その時々によって読みが異なるものについては、どんな高度な言語解析を行ってもその読みを正しく判断することはできない。このように、同形語（表記が同じで、読みか異なる単語）の読み分けには、言語解析だけでは不可能なものが多く、これらに対しては、予めユーザが正しい読みやアクセントを指定してやる以外に正確な出力を得る方法はない。
　そこで、入力文章中のある単語に特殊な読みやアクセントを指定する機能が必要となるか、従来の指定方法では、上記のような問題点があった。
目　　的
　本発明は、上述のごとき問題点を解決するためになされたものであり、その特徴は、入力文章を見ながら、その中の必要な単語の読み、アクセント、品詞を指定してやることによって、強制的に指定した読み方で音声出力させることが簡単にでき、かつ、読みやアクセントを指定した部分のアクセントやイントネーションが不自然になることのないようにすることを目的としてなされたものである。
構　　成
　本発明は、上記目的を達成するために、文章を言語解析し、読み、アクセント、イントネーションなどを自動的に生成し、合成音声で出力するテキスト音声合成装置において、入力文章中のある単語の読み、アクセント
、品詞
実　施　例
（１）入力文章中に、指定内容を挿入する方法
　入力文章はすべて全角文字であるとする。特殊な読みの指定は、表１の例１に示すようにすべて半角文字で表現し、入力文章中に挿入する。例１では、”は特殊な読みを指定したい単語の開始点を表わし、その単語の直後の［　］で囲まれた部分は、それに対する読み、品詞、アクセントの指定を表わしている。言語解析時には、この半角文字による指定を検出したら、その部分の辞書引きを行なわず、指定された読み、アクセントを使用して、後の言語解析を継続するようにする。
（２）専用エディタを使う方法１（単語の読み、アクセント、品詞を直接指定）
　この実施例では、専用エティタを使用することによって、入力文章を直接、変更することなく、読み、アクセントの指定ができる。特殊な読み、アクセントなどの指定内容は、入力文章ファイルとは別の属性ファイルに書き込まれる。例えば、１文字の属性を表わす形式を第１図のように定義する。ここでは、入力文章中の１文字の属性を７バイトで表わしている。始めの４バイト（Ａ部）が読みを表わし、次の１バイト（Ｂ部）が品詞を表わし、次の１バイト（Ｃ部）がアクセント型を表わし、最後の１バイト（Ｄ部）は、同様な属性がその後、なん文字続くかを表わす。属性ファイルには、このような７バイトの属性がいくつか連続して書かれている。また、専用エディタで特殊な読みなどを指定する際の画面入力イメージを第２図に示す。なお、第２図において、Ｉ部において、指定したい単語の始点と終点を指示し、また、ＩＩ部において、その単語の属性を入力するためのウインドウが開き、ユーザは各属性を入力する。この様にして入力された情報は、属性ファイルに書き込まれる。例１と同じ入力文章に対して、同じ指定をすると属性ファイルの内容は、第３図のようになる。ただし、第３図において、Ａ部は属性なしの文字４文字続くことを表す。Ｂ部はハチを表わすアスキーコートを表わす。Ｃ部は品詞、Ｄ部はアクセント、Ｅ部は単語か２文字であることを示す。Ｆ部はノヘを表わすアスキーコード、Ｇ部は属性なしの文字か３文字続くことを表わす。言語解析時には、入力文章ファイルと並行して、属性ファイルも読み込み、指定のある単語があった場合は、その部分の辞書引きを行なわず、指定された読み、アクセントを使用して、後の言語解析を継続するようにする。
（３）専用エディタを使う方法２（辞書中の複数候補の中から選択）
　この実施例は、特殊な読み、アクセントなどの指定を、専用エディタで行い、指定内容が属性ファイルに書き込まれ、その属性ファイルを利用しながら言語解析する点は、前記（２）と全く同じであるが、専用エディタによる読みなどの指定方法が異なる。専用エディタによる指定の際の画面入力イメージを第４図に示す。なお、第４図において、Ｉ部は第２図と同じである。ＩＩ部においては、その単語の属性を選択するためのウィンドウが開き、ユーザは選択番号を入力する。ここでは、特定の読みを与えたい単語を指定すると、その単語に対する辞書引き結果が複数個、表示される。ユーザは、その中から、指定したいものを選択する。これによって、単語の属性（読み、アクセント型、品詞）などを直接入力しなくてもよく、非常に使い易い。
（４）専用エティタを使う方法３
　この方法は前記（２），（３）の指定方法を併用する。通常は（３）の方法で指定するが、選択枝の中に所望のものがない場合には、直接、その単語の属性を指定することもできる。
効　　果
　以上の説明から明らかなように、本発明によると、入力文章中のある単語について、特殊な読みやアクセントを指定することが簡単にできるようになる。また、その指定内容は、言語処理の辞書引き結果に相当し、辞書引き以降の言語解析は従来通り行われるので、強制的に指定した部分のアクセントやイントネーションが不自然になる危険がなくなる。
【図面の簡単な説明】
　第１図は、１文字の属性の形式を示す図、第２図は、専用エディタによる入力イメージの例を示す図、第３図は、属性ファイルの一例を示す図、第４図は、専用エディタによる入力イメージの一例を示す図である。